(57)【要約】【課題】洗浄液の噴射及びリアワイパの往復回動を連動させるウォッシャ連動動作において、リアウィンドウの汚れを満遍なく払拭することができるリアワイパ装置を提供する。【解決手段】リアワイパ装置は、車両のリアウィンドウを払拭するリアワイパ２を所定の第１位置及び第２位置の間で往復回動させるリアワイパ駆動部と、リアウィンドウの略中央部に洗浄液を噴射するリアウォッシャ３を駆動するリアウォッシャ駆動部と、リアウィンドウの洗浄を指示するウォッシャ操作スイッチと、ウォッシャ操作スイッチが操作された場合、リアワイパ駆動部及びリアウォッシャ駆動部の動作を制御するリアワイパ制御装置とを備える。リアワイパ制御装置は、リアワイパが第１位置から第２位置へ回動するタイミングと、リアワイパ２が第２位置から第１位置へ回動するタイミングとで洗浄液が噴射されるようにリアウォッシャ駆動部の動作を制御する。【選択図】図１
2018034603.tif 000002
【特許請求の範囲】
【請求項１】
車両のリアウィンドウを払拭するリアワイパを所定の第１位置及び第２位置の間で往復回動させるリアワイパ駆動部と、
前記リアウィンドウの略中央部に洗浄液を噴射するリアウォッシャを駆動するリアウォッシャ駆動部と、
前記リアウィンドウの洗浄を指示するウォッシャ操作スイッチと、
前記ウォッシャ操作スイッチが操作された場合、前記リアワイパ駆動部及び前記リアウォッシャ駆動部の動作を制御するリアワイパ制御装置と
を備え、
前記リアワイパ制御装置は、
前記リアワイパが第１位置から第２位置へ回動するタイミングと、前記リアワイパが第２位置から第１位置へ回動するタイミングとで洗浄液が噴射されるように前記リアウォッシャ駆動部の動作を制御する
リアワイパ装置。
【請求項２】
前記リアワイパ制御装置は、
前記ウォッシャ操作スイッチが操作された場合、前記リアウォッシャ駆動部を動作させる第１噴射制御部と、
該第１噴射制御部にて洗浄液が噴射された場合、前記リアワイパを第１位置から第２位置まで回動させる第１払拭制御部と、
前記リアワイパが第２位置まで回動した場合、前記リアウォッシャ駆動部を動作させる第２噴射制御部と、
該第２噴射制御部にて洗浄液が噴射された場合、前記リアワイパを第２位置から第１位置まで回動させる第２払拭制御部と
を備える請求項１に記載のリアワイパ装置。
【請求項３】
前記ウォッシャ操作スイッチが継続的に操作された洗浄操作時間を記憶する記憶部を備え、
前記第１噴射制御部は、
前記ウォッシャ操作スイッチが操作されている間、前記リアウォッシャが洗浄液を継続的に噴射するように前記リアウォッシャ駆動部を動作させ、
前記第２噴射制御部は、
前記記憶部が記憶する洗浄操作時間、前記リアウォッシャ駆動部を継続的に動作させる
請求項２に記載のリアワイパ装置。
【請求項４】
車両のリアウィンドウを払拭するリアワイパを所定の第１位置及び第２位置の間で往復回動させるリアワイパ駆動部と、前記リアウィンドウの略中央部に洗浄液を噴射するリアウォッシャを駆動するリアウォッシャ駆動部との動作を制御するリアワイパ制御装置であって、
前記リアワイパが第１位置から第２位置へ回動するタイミングと、前記リアワイパが第２位置から第１位置へ回動するタイミングとで洗浄液が噴射されるように前記リアウォッシャ駆動部の動作を制御する
リアワイパ制御装置。
【発明の詳細な説明】
【技術分野】
【０００１】
本発明は、リアワイパ装置及びリアワイパ制御装置に関する。
【背景技術】
【０００２】
車両のフロントウィンドウを払拭するワイパ装置は、雨天時等にワイパを連続的又は間欠的に往復回動させるワイパ駆動部と、フロントウィンドウへ洗浄液を噴射するウォッシャ駆動部とを備える。洗浄液は、運転者によってウォッシャ操作スイッチが操作された任意のタイミングで噴射される。
また、洗浄液の噴射と連動して、ワイパを複数回、自動的に往復回動させるウォッシャ連動動作機能を有するワイパ装置がある。特許文献１には、ウォッシャ連動動作の際に、ワイパブレードの位置を検出し、ワイパブレードが洗浄液の噴射口付近にあると判定された場合、洗浄液の噴射を一時停止させることができるワイパ駆動装置が開示されている。
【先行技術文献】
【特許文献】
【０００３】
【特許文献１】特開平１０−３２９６５６号公報
【発明の概要】
【発明が解決しようとする課題】
【０００４】
ところで、フロントウィンドウのワイパ装置は、２本のワイパブレードと、洗浄液を噴射する２つのノズルとを備え、運転者の視界を確保するため、ワイパブレードの回動支点が運転席側に設けられていることが多い。
これに対して、リアウィンドウを払拭するリアワイパ装置は、１本のワイパブレードと、１つの噴射ノズルとを備え、リアウィンドウを満遍なく払拭するために、ワイパブレードの回動支点は横方向略中央部に設けられ、噴射ノズルも同様に横方向略中央部に配されていることが多い。
【０００５】
このため、リアワイパ装置において洗浄液を噴射してリアワイパを動作させる場合、洗浄液の噴射タイミングによっては、リアウィンドウが洗浄液で満遍なく払拭されないという問題があった。
【０００６】
ワイパブレードが始動位置から終端反転位置へ回動する際に噴射された洗浄液は、リアウィンドウの略中央部からワイパブレードの進行方向に拡げられ、ワイパブレードが終端反転位置に達すると、略水平となるため、洗浄液は下方へ流れ落ちることになる。このため、ワイパブレードが反対方向の始動位置側へ回動する際には、洗浄液は残っておらず、リアウィンドウの始動位置側の汚れが十分に払拭できていない状態となる。
リアウィンドウの全面に洗浄液を行き渡らせるためには、ワイパブレードの位置を確認しながら、複数回又は連続的に洗浄液を噴射する必要があるが、運転者は、複雑な操作に煩わしさを覚えるという問題がある。また、洗浄液の消費量が大きいという問題がある。
【０００７】
本発明の目的は、洗浄液の噴射及びリアワイパの往復回動を連動させるウォッシャ連動動作において、リアウィンドウの汚れを満遍なく払拭することができるリアワイパ装置及びリアワイパ制御装置を提供することにある。
【課題を解決するための手段】
【０００８】
本態様に係るリアワイパ装置は、車両のリアウィンドウを払拭するリアワイパを所定の第１位置及び第２位置の間で往復回動させるリアワイパ駆動部と、前記リアウィンドウの略中央部に洗浄液を噴射するリアウォッシャを駆動するリアウォッシャ駆動部と、前記リアウィンドウの洗浄を指示するウォッシャ操作スイッチと、前記ウォッシャ操作スイッチが操作された場合、前記リアワイパ駆動部及び前記リアウォッシャ駆動部の動作を制御するリアワイパ制御装置とを備え、前記リアワイパ制御装置は、前記リアワイパが第１位置から第２位置へ回動するタイミングと、前記リアワイパが第２位置から第１位置へ回動するタイミングとで洗浄液が噴射されるように前記リアウォッシャ駆動部の動作を制御する。
【０００９】
本態様に係るリアワイパ制御装置は、車両のリアウィンドウを払拭するリアワイパを所定の第１位置及び第２位置の間で往復回動させるリアワイパ駆動部と、前記リアウィンドウの略中央部に洗浄液を噴射するリアウォッシャを駆動するリアウォッシャ駆動部との動作を制御するリアワイパ制御装置であって、前記リアワイパが第１位置から第２位置へ回動するタイミングと、前記リアワイパが第２位置から第１位置へ回動するタイミングとで洗浄液が噴射されるように前記リアウォッシャ駆動部の動作を制御する。
【００１０】
なお、本願は、このような特徴的な処理部を備えるリアワイパ装置として実現することができるだけでなく、かかる特徴的な処理をステップとする車両用情報表示方法として実現したり、かかるステップをコンピュータに実行させるためのプログラムとして実現したりすることができる。また、リアワイパ装置の一部又は全部を実現する半導体集積回路として実現したり、リアワイパ装置を含むその他のシステムとして実現したりすることができる。
【発明の効果】
【００１１】
上記によれば、洗浄液の噴射及びリアワイパの往復回動を連動させるウォッシャ連動動作において、リアウィンドウの汚れを満遍なく払拭することができるリアワイパ装置及びリアワイパ制御装置を提供することが可能となる。
【図面の簡単な説明】
【００１２】
【図１】本発明の実施形態に係るリアワイパ装置の一構成例を示す模式図である。
【図２】本発明の実施形態に係るリアワイパ装置の一構成例を示すブロック図である。
【図３】ウォッシャ連動動作によるリアウィンドウの払拭方法を示す模式図である。
【図４】ウォッシャ連動動作に係る制御部の処理手順を示すフローチャートである。
【図５】ウォッシャ連動動作に係る制御部の処理手順を示すフローチャートである。
【発明を実施するための形態】
【００１３】
［本発明の実施形態の説明］
最初に本発明の実施態様を列記して説明する。また、以下に記載する実施形態の少なくとも一部を任意に組み合わせてもよい。
【００１４】
（１）本態様に係るリアワイパ装置は、車両のリアウィンドウを払拭するリアワイパを所定の第１位置及び第２位置の間で往復回動させるリアワイパ駆動部と、前記リアウィンドウの略中央部に洗浄液を噴射するリアウォッシャを駆動するリアウォッシャ駆動部と、前記リアウィンドウの洗浄を指示するウォッシャ操作スイッチと、前記ウォッシャ操作スイッチが操作された場合、前記リアワイパ駆動部及び前記リアウォッシャ駆動部の動作を制御するリアワイパ制御装置とを備え、前記リアワイパ制御装置は、前記リアワイパが第１位置から第２位置へ回動するタイミングと、前記リアワイパが第２位置から第１位置へ回動するタイミングとで洗浄液が噴射されるように前記リアウォッシャ駆動部の動作を制御する。
【００１５】
本態様にあっては、リアワイパが第１位置から第２位置へ回動するタイミングで洗浄液が自動的に噴射されるため、リアウィンドウの略中央部から第２位置側を洗浄液で払拭することができる。同様に、リアワイパが第２位置から第１位置へ回動するタイミングで洗浄液が自動的に噴射されるため、リアウィンドウの略中央部から第１位置側を洗浄液で払拭することができる。
従って、リアウィンドウの汚れを洗浄液にて満遍なく払拭することができる。
【００１６】
（２）前記リアワイパ制御装置は、前記ウォッシャ操作スイッチが操作された場合、前記リアウォッシャ駆動部を動作させる第１噴射制御部と、該第１噴射制御部にて洗浄液が噴射された場合、前記リアワイパを第１位置から第２位置まで回動させる第１払拭制御部と、前記リアワイパが第２位置まで回動した場合、前記リアウォッシャ駆動部を動作させる第２噴射制御部と、該第２噴射制御部にて洗浄液が噴射された場合、前記リアワイパを第２位置から第１位置まで回動させる第２払拭制御部とを備える構成が好ましい。
【００１７】
本態様にあっては、ウォッシャ操作スイッチが操作された場合、リアワイパ制御装置は、洗浄液をリアウィンドウの略中央部に噴射させる。その後、リアワイパ制御装置は、リアワイパを第１位置から第２位置へ回動させる。以上の制御によって、主にリアウィンドウの略中央部から第２位置側を洗浄液で払拭することができる。
リアワイパが第２位置まで回動した場合、リアワイパ制御装置は、洗浄液をリアウィンドウの略中央部に噴射させる。その後、リアワイパ制御装置は、リアワイパを第２位置から第１位置へ回動させる。以上の制御によって、主にリアウィンドウの略中央部から第１位置側を洗浄液で払拭することができる。
【００１８】
（３）前記ウォッシャ操作スイッチが継続的に操作された洗浄操作時間を記憶する記憶部を備え、前記第１噴射制御部は、前記ウォッシャ操作スイッチが操作されている間、前記リアウォッシャが洗浄液を継続的に噴射するように前記リアウォッシャ駆動部を動作させ、前記第２噴射制御部は、前記記憶部が記憶する洗浄操作時間、前記リアウォッシャ駆動部を継続的に動作させる構成が好ましい。
【００１９】
本態様にあっては、リアワイパ制御部は、ウォッシャ操作スイッチが操作されている間、洗浄液を噴射させる。従って、運転者はリアウィンドウの汚れぐあいに応じて、任意の量の洗浄液を噴射させることができ、リアウィンドウの略中央部から第２位置側を当該洗浄液で払拭することができる。
また、リアワイパが第２位置から第１位置へ回動する前にも同量の洗浄液が自動的に噴射され、リアウィンドウの略中央部から第２位置側を当該洗浄液で払拭することができる。
従って、運転者の操作に応じた任意量の洗浄液にて、リアウィンドウの汚れを満遍なく払拭することができる。
【００２０】
（４）本態様に係るリアワイパ制御装置は、車両のリアウィンドウを払拭するリアワイパを所定の第１位置及び第２位置の間で往復回動させるリアワイパ駆動部と、前記リアウィンドウの略中央部に洗浄液を噴射するリアウォッシャを駆動するリアウォッシャ駆動部との動作を制御するリアワイパ制御装置であって、前記リアワイパが第１位置から第２位置へ回動するタイミングと、前記リアワイパが第２位置から第１位置へ回動するタイミングとで洗浄液が噴射されるように前記リアウォッシャ駆動部の動作を制御する。
【００２１】
本態様にあっては、態様（１）同様、リアウィンドウの汚れを洗浄液にて満遍なく払拭することができる。
【００２２】
［本発明の実施形態の詳細］
本発明の実施形態に係る車両用情報表示システムの具体例を、以下に図面を参照しつつ説明する。なお、本発明はこれらの例示に限定されるものではなく、特許請求の範囲によって示され、特許請求の範囲と均等の意味および範囲内でのすべての変更が含まれることが意図される。
【００２３】
図１は、本発明の実施形態に係るリアワイパ装置の一構成例を示す模式図、図２は、本発明の実施形態に係るリアワイパ装置の一構成例を示すブロック図である。本実施形態に係るリアワイパ装置は、リアワイパ制御装置１と、リアワイパ２と、リアウォッシャ３と、ウォッシャ操作スイッチ４とを備える。
【００２４】
リアワイパ２は、１本のワイパアームを備え、ワイパアームの基部は、リアウィンドウＷの横方向略中央部の下部に設けられた回動軸によって回動可能に支持されている。ワイパアームの先端部には、リアウィンドウＷを払拭するワイパブレードが設けられている。ワイパブレードは、ワイパアームの回動によって、リアウィンドウＷの表面上を摺動しながら往復回動し、リアウィンドウＷの汚れを払拭する。ワイパブレードは棒状であり、ワイパブレード及びワイパアームの往復回動によって払拭される領域は扇形状である。以下、停止しているワイパブレードが往復回動を開始する位置を始動位置（第１位置）、始動位置から回動した後、ワイパブレードが回動方向を反転させる位置を終端反転位置（第２位置）と呼ぶ。始動位置及び終端反転位置において、ワイパブレードは略水平となる。
【００２５】
リアワイパ駆動部２ａは、ワイパアームを回動させるモータを備える。リアワイパ駆動部２ａは、リアワイパ制御装置１の制御に従って、モータを正回転及び逆回転させ、ワイパアームを往復回動させる。
【００２６】
リアウォッシャ３は、洗浄液タンクと、当該洗浄液タンクの洗浄液をリアウィンドウＷの略中央部へ噴射する一つのノズルを備える。ノズルは、リアウィンドウＷの横方向略中央部の下部、又は上部に設けられている。
【００２７】
リアウォッシャ駆動部３ａは、洗浄タンクの洗浄液を、リアウォッシャ３のノズルへ供給するポンプを備える。リアウォッシャ駆動部３ａは、リアワイパ制御装置１の制御に従って、ポンプを駆動し、洗浄液を噴射させる。
【００２８】
リアワイパ制御装置１は、リアワイパ制御装置１の各構成部の動作を制御する制御部１１を備える。制御部１１は、例えば一又は複数のＣＰＵ（Central Processing Unit）、ＲＯＭ（Read Only Memory）、ＲＡＭ（Random Access Memory）等を有するマイコンである。制御部１１には、タイマ１２、カウンタ１３、出力部１４及び入力部１５が設けられている。
【００２９】
タイマ１２は、制御部１１の制御に従って計時を行う素子であり、制御部１１は、タイマ１２の計時時間を参照することによってリアワイパ２の回動位置を認識することができる。なお、リアワイパ２のワイパブレードが始動位置及び終端反転位置にあることを検出する検出スイッチを備え、当該検出スイッチを用いて、リアワイパ２の回動位置を検出するように構成しても良い。
【００３０】
カウンタ１３は、洗浄液の噴射時間を計数するための素子であり、制御部１１は、カウンタ１３の計数値を用いて洗浄液の噴射時間を検知することができる。カウンタ１３は、複数の計数値Ｔ１及びＴ２を計数することができる。カウンタ１３は、ウォッシャ操作スイッチ４の洗浄操作時間を記憶する記憶部として機能する。
【００３１】
出力部１４には、リアワイパ駆動部２ａ及びリアウォッシャ駆動部３ａが接続されている。制御部１１は、出力部１４を介してワイパ駆動信号をリアワイパ駆動部２ａへ出力することによって、リアワイパ駆動部２ａの動作を制御し、リアワイパ２を往復回動させる。また、制御部１１は、出力部１４を介して噴射駆動信号をリアウォッシャ駆動部３ａへ出力することによって、リアウォッシャ駆動部３ａの動作を制御し、洗浄液を噴射させる。
【００３２】
入力部１５には、洗浄液の噴射を指示するためのウォッシャ操作スイッチ４が接続されており、ウォッシャ操作スイッチ４の操作状態に応じた信号が入力される。制御部１１は、入力部１５に入力した信号に基づいて、ウォッシャ操作スイッチ４の操作状態を認識することができる。
【００３３】
図３は、ウォッシャ連動動作によるリアウィンドウＷの払拭方法を示す模式図、図４及び図５は、ウォッシャ連動動作に係る制御部１１の処理手順を示すフローチャートである。制御部１１は、ウォッシャ操作スイッチ４の操作状態を監視しており、ウォッシャ操作スイッチ４がオン状態であるか否かを判定する（ステップＳ１１）。ウォッシャ操作スイッチ４がオン状態で無いと判定した場合（ステップＳ１１：ＮＯ）、制御部１１は処理をステップＳ１１へ戻す。
【００３４】
ウォッシャ操作スイッチ４がオン状態であると判定した場合（ステップＳ１１：ＹＥＳ）、制御部１１は、リアウォッシャ駆動部３ａへ噴射駆動信号を出力することによって、リアウォッシャ３を駆動させ、図３Ａに示すように、ウォッシャ液を噴射させる（ステップＳ１２）。密なハッチングが付された部分は汚れが付着している領域を示し、粗いハッチングが付された部分は洗浄液が噴射された領域を示している。次いで、制御部１１は、カウンタ１３の計数値Ｔ１をカウントアップすることによって更新する（ステップＳ１３）。
【００３５】
次いで、制御部１１は、ウォッシャ操作スイッチ４がオフ状態であるか否かを判定する（ステップＳ１４）。ウォッシャ操作スイッチ４がオン状態であると判定した場合（ステップＳ１４：ＮＯ）、制御部１１は処理をステップＳ１２へ戻す。ウォッシャ操作スイッチ４がオフ状態であると判定した場合（ステップＳ１４：ＹＥＳ）、制御部１１は、タイマ１２にて計時を開始する（ステップＳ１５）。そして、制御部１１は、リアワイパ駆動部２ａへワイパ駆動信号を出力することによって、図３Ｂに示すように、リアワイパ２を駆動させる（ステップＳ１６）。図３Ｂ中、矢印はリアワイパ２の回動方向を示しており、粗いハッチングが付された部分は、洗浄液によって払拭された領域を示している。次いで、制御部１１は、タイマ１２の計時時間が第１所定時間であるか否かを判定する（ステップＳ１７）。第１所定時間は、リアワイパ２が初期位置から終端位置まで移動するのに要する時間である。第１所定時間で無いと判定した場合（ステップＳ１７：ＮＯ）、制御部１１は処理をステップＳ１６へ戻し、継続的にリアワイパ２を動作させる。
【００３６】
タイマ１２の計時時間が第１所定時間であると判定した場合（ステップＳ１７：ＹＥＳ）、制御部１１は、リアウォッシャ駆動部３ａへ噴射駆動信号を出力することによって、図３Ｃに示すように、リアウォッシャ３を駆動させ、ウォッシャ液を噴射させる（ステップＳ１８）。粗いハッチングが付された部分は、洗浄液が噴射された領域を示し、白抜き部分は、洗浄液による払拭が完了している部分を示している。次いで、制御部１１は、カウンタ１３の計数値Ｔ２をカウントアップすることによって更新する（ステップＳ１９）。
【００３７】
そして、制御部１１は、カウンタ１３の計数値Ｔ２が計数値Ｔ１超であるか否かを判定する（ステップＳ２０）。計数値Ｔ２が計数値Ｔ１以下であると判定した場合（ステップＳ２０：ＮＯ）、制御部１１は処理をステップＳ１８へ戻し、ウォッシャ液の噴射を継続させる。
【００３８】
計数値Ｔ１２が計数値Ｔ１超であると判定した場合（ステップＳ２０：ＹＥＳ）、制御部１１は、タイマ１２をリセットして計時を開始する（ステップＳ２１）。そして、制御部１１は、リアワイパ駆動部２ａへワイパ駆動信号を出力することによって、図３Ｄに示すように、リアワイパ２を駆動させる（ステップＳ２２）。図３Ｄ中、矢印はリアワイパ２の回動方向を示しており、粗いハッチングが付された部分は、洗浄液によって払拭された領域を示している。次いで、制御部１１は、タイマ１２の計時時間が第２所定時間であるか否かを判定する（ステップＳ２３）。第２所定時間は、リアワイパ２が終端位置から初期位置まで移動するのに要する時間である。第２所定時間で無いと判定した場合（ステップＳ２３：ＮＯ）、制御部１１は処理をステップＳ２２へ戻し、継続的にリアワイパ２を動作させる。タイマ１２の計時時間が第２所定時間であると判定した場合（ステップＳ２３：ＹＥＳ）、処理を終える。リアワイパ２が１往復する間に、洗浄液が２回噴射され、図３Ｅに示すように、洗浄液によってリアウィンドウＷが満遍なく払拭される。図３Ｅ中、白抜き部分は、洗浄液による払拭が完了した領域を示している。
【００３９】
以上の通り、実施形態に係るリアワイパ２装置によれば、洗浄液の噴射及びリアワイパ２の往復回動を連動させるウォッシャ連動動作において、リアウィンドウＷの汚れを満遍なく払拭することができる。
【００４０】
また、運転者の操作に応じた任意量の洗浄液にて、リアウィンドウＷの汚れを満遍なく払拭することができる。
【００４１】
なお、本実施形態では、ウォッシャ操作スイッチ４の操作時間が操作されている時間、洗浄液が噴射される構成を説明したが、１回のウォッシャ操作スイッチ４によって、所定時間、洗浄液が自動的に噴射するように構成しても良い。
【符号の説明】
【００４２】
１  リアワイパ制御装置
２  リアワイパ
２ａ  リアワイパ駆動部
３  リアウォッシャ
３ａ  リアウォッシャ駆動部
４  ウォッシャ操作スイッチ
１１  制御部
１２  タイマ
１３  カウンタ
１４  出力部
１５  入力部
Ｃ  車両
Ｗ  リアウィンドウ
【図１】
2018034603.tif 000003
【図２】
2018034603.tif 000004
【図３】
2018034603.tif 000005
【図４】
2018034603.tif 000006
【図５】
2018034603.tif 000007